(57)【要約】【課題】急な雨のときでも、ジャケットを着用したままで、襟の中に収納したリュックカバーを取出してリュックを覆うことにより確実に雨を防ぐことができるというリュックカバー付きジャケットを提供することを目的とする。【解決手段】リュックカバーの上辺中央部をジャケットの襟元後部に取り付けてリュックを覆い、リュックカバー上辺左右の止め具は、ジャケットの両肩部に設けた固定具に着脱自在に係止し、リュックカバー脇裾に設けた止め具を対応する固定具に止める。リュックカバーの脇及び裾の両方、或はそのいずれか片方に形成した紐通し部に伸縮自在に紐を連結し、紐調節具をジャケットの脇裾に設けた係止具で止めてもよい。ジャケットの襟は袋状に形成し、開口部を後襟元に形成して、折り畳んだリュックカバーを襟の内部に収納し、ジャケット襟元後部の開口部に止め具を設けてリュックカバーの裏面に設けた固定具に止める。【選択図】　　図２
2004052139.tif 000002
【特許請求の範囲】
【請求項１】
背負ったリュックを覆うべきリュックカバーの上辺中央部をジャケットの襟元後部に取り付けると共に、このリュックカバーの上辺左右に止め具を取り付け、ジャケットの両肩部に設けた固定具に前記止め具を着脱自在に係止する一方、
ジャケットの襟を袋状に形成して、後襟元に開口部を形成し、折り畳んだ前記リュックカバーを襟の内部に収納可能にしてなるリュックカバー付きジャケット。
【請求項２】
前記のリュックカバー脇裾に止め具を設けて、この止め具と対応する固定具をジャケットに設けてなる請求項１記載のリュックカバー付きジャケット。
【請求項３】
前記のリュックカバーの脇及び裾の両方、或はそのいずれか片方に紐通し部を形成し、紐通し部には紐調節具を介して伸縮自在に紐を連結し、紐調節具をジャケットの脇裾に設けた係止具で止めて成る請求項１記載のリュックカバー付きジャケット。
【請求項４】
前記ジャケットの襟元後部の開口部に止め具を設け、これと対応する固定具を該リュックカバーの裏面に設けてなる請求項１から３に記載のリュックカバー付きジャケット。
【発明の詳細な説明】
【０００１】
【発明の属する技術分野】
本発明は、雨天時にリュックを背負ったまま装着できるリュックカバー付きジャケットに関する発明である。
【０００２】
【従来の技術】
ジャケットを着てリュックを背負った場合、突然の雨の際には、外側のリュックが濡れてしまい、収納物が変質するおそれが有る。だからといって、雨を避ける為に、リュックを背負ってその上にジャケットを着るのは、ジャケットにゆとりが無くなり窮屈で着用しにくい。
これを防ぐための従来例に、特開平９‐１１１５１２号公報の発明、実公昭５９‐１００８４号公報の発明、特許第３０６０８０８号公報の発明等のリュックカバー付きジャケットがある。
これらのリュックカバー付きジャケットは、背面にリュック収納部を有するもの、後身頃の中央部に設けた膨出部を縦に収納したもの、或は後背面の中央部を縦割りして膨大部を収納したもの等である。
しかし、これらのリュックカバー付きジャケットによれば、背面のリュック収納部や膨出（大）部を広げるためには、リュックカバー付きジャケットを脱いでからファスナを開く作業をする必要があり、突然の雨の際には不便であること、また、リュックを使わない場合には、背面のリュック収容部のファスナや背面中央に縦長に配置したファスナが大袈裟に露出してしまい、背面が美的でないこと等の問題点がある。
【０００３】
【発明が解決しようとする課題】
本発明のリュックカバー付きジャケットによれば、急な雨のときでも、ジャケットを着用したままで、襟袋のボタンを外し、小さく畳んで収納したリュックカバーを広げて、リュックを覆うことにより、リュックを雨で濡らさず簡便に着用でき、しかも、リュックカバーを使用しない時でも、背面にファスナ等が露出しない美的なリュックカバー付きジャケットを提供することを目的とする。
本発明のリュックカバー付きジャケットは、ジャケットを着用したままでリュックを覆うことができ、またジャケットを着たままリュックが降ろせることができる。しかもリュックカバー不使用時の外観もスマートであるから、軽い山歩き等のウオーキング用ジャケットとして最適である。
【０００４】
【課題を解決するための手段】
本発明では、背負ったリュックを覆うべきリュックカバーの上辺中央部をジャケットの襟元後部に取り付けると共に、このリュックカバーの上辺左右に止め具を取り付け、ジャケットの両肩部に設けた固定具に前記止め具を着脱自在に係止する一方、ジャケットの襟を袋状に形成して、開口部を後襟元に形成し、折り畳んだ前記リュックカバーを襟の内部に収納可能にしてなる。
請求項２の発明では、リュックカバー脇裾に止め具を設けて、この止め具に対応する固定具をジャケットに設ける。
請求項３の発明では、リュックカバーの脇及び裾の両方、或はそのいずれか片方に紐通し部を形成し、紐通し部には紐調節具を介して伸縮自在に紐を連結し、紐調節具をジャケットの脇裾に設けた係止具で止める。
請求項４の発明では、ジャケットの襟元後部の開口部に止め具を設け、これと対応する固定具をリュックカバーの裏面に設ける。
【０００５】
【作用】
本発明の雨天時の使用に際しては、ジャケットを着用した状態でリュックを背負い、袋状の襟に収納したリュックカバーを引き出す。リュックカバーの上辺左右に設けた止め具は、ジャケットの肩の固定具に係合する。脇及び裾に通した紐を紐調節具で適宜の長さに調節して、リュックをたるまぬように覆う。紐調節具は、ジャケット脇裾に設けた係止具で止める。
リュックを使用しない時は、リュックカバーを小さく畳んで、袋状の襟の中に収納する。
【０００６】
【発明の実施形態】
本発明の実施の形態を、添付図面を参照して説明する。
図１は本発明の実施例のリュックカバー付きジャケットで、図３はリュックカバー収納時の襟を示す。
１はジャケットで、２はリュックカバーである。Ｒはリュックである。
リュックカバー２で背負ったリュックＲを覆う。３　は上辺中央部で、ジャケット１の襟元後部４に縫い付ける。５はリュックカバー２の上辺左右に取り付けた止め具である。６はジャケット１の両肩部に設けた固定具で、止め具５を着脱自在に係止する。
７はジャケット１の襟で、袋状に形成する。８は襟７の開口部で、後襟元に形成する。折り畳んだリュックカバー２を襟７の内部に収納可能にする。
９はリュックカバー１の脇裾に設けた止め具で、１０は止め具９と対応する固定具で、ジャケット１に設ける。
【０００７】
図２は、別の実施例である。
１１はリュックカバー１の脇に設けた紐通し部で、１２は裾に設けた紐通し部である。１１及び１２の紐通し部には紐調節具１３を介して伸縮自在に紐１４を連結する。紐調節具１３をジャケット１の脇裾に設けた係止具１５で止める。紐通し部１１・１２は、リュックカバーの脇或は裾の一方だけに設けても良いが、脇及び裾の両方に設けた方が細かくリュックの形態に沿わせられる。
１６はジャケット１の後襟元の開口部８に設けた止め具である。１７は止め具１６と対応する固定具で、リュックカバー１の裏面に設ける。
【０００８】
リュックカバー２は、ジャケット１の後身頃よりもやや大きめに形成するとよい。リュックＲに応じてリュックカバー２の大きさを調節すれば、無駄が無い形状に作成できる。たたみ易い様に、平面状に裁断する。
リュック着用時に急な雨にあった場合、袋状の襟７からリュックカバー２を取りだして広げれば良いから、ジャケット１を着たままで、簡単確実に雨に対処できる。
図４は、リュックＲを着用した使用状態を示す斜視図である。図４に示すように、リュックカバー２の上辺中央部３でリュックを覆った後、リュックＲの背負い紐に上辺左右を被せて、リュックカバー２の止め具５とジャケット１の固定具６を嵌め合わせると、リュックカバー２の上辺左右が確実に固定でき、リュックカバー２が風でめくれたりせず、確実にリュックＲを覆うことができる。
【０００９】
図１の実施例は、リュックカバー２の脇裾の止め具９を、ジャケットの固定具１０に嵌める止め方である。この止め方の場合、脇や裾を裏ゴムなどで縫い縮めておけば、一層リュックの形状に適合するので、雨を防ぐ効果が高くなる。
図２の実施例は、リュックカバー２の脇及び裾に紐通し部１１・１２を設けて、両脇の紐調節具１３で、連結した紐１４の長さを調節する場合の展開図である。図示した係止具１５は、ジャケット１に設けた紐をスナップ止めすることにより、小さな輪を形成し、紐調節具１３を挟む形式のものである。図示しないが、係止具１５は、あらかじめ適宜の紐で小さな輪を作って縫い付けておき、紐調節具１３をこの輪に入れる方法で係止しても良い。
【００１０】
実施例１では、リュックカバー２の上辺中央部３を、ジャケット１の襟元後部４に縫い付けているが、リュックカバー２をスナップ或はボタン止めで襟元後部４に取り付けてもよい。その場合、ボタンを取り外せば、リュックカバー２を、腰掛のグランドシートとして使用することができ、便利である。
襟７は表裏２枚にして袋状に形成する。後襟元の開口８から、たたんだリュックカバー２を入れて収納する。収納後は、止め具１６に対応する固定具１７を嵌めると、襟７に収納したリュックカバー２が外に飛び出さない。また、固定具１６から止め具１７を外して、リュックカバー２を取出せば、急な雨にもすぐ対応できる。
【００１１】
【発明の効果】
このように本発明によれば、リュックカバー２をジャケット１の袋状の襟７に収納するという構造にしたので、雨の際には袋状の襟７からリュックカバー２を取りだしてリュックＲを覆えば良いから、急な雨でも、ジャケットを着たままで、簡単確実に雨に対処でき、背負ったリュックを濡らすことがないという優れた効果を有する。
また、リュックカバー２の上辺左右をリュックＲの背負い紐に被せ、リュックカバー２の止め具５とジャケット１の固定具６を嵌め合わせると、リュックカバー２の上辺左右が確実に固定でき、リュックカバー２が風で飛んだりせず、確実にリュックを覆うことができる。
リュックカバー２の脇裾の止め具９を、ジャケットの固定具１０に嵌めれば、リュックカバー２は、リュックの下部まで覆って係止できる。この止め方の場合、脇や裾を裏ゴムなどで縫い縮めておけば、一層リュックの形状に適合できる。リュックカバー２の脇及び裾の両方、或はそのいずれか片方に紐通し部１１・１２を設け、両脇の紐調節具１３で連結した紐１４の長さを調節すると、リュックＲの形状に沿ってリュックカバー２の形状を調整でき、雨を防ぐ効果が高くなる。また、紐調節具１３を係止具１５で係止することにより、リュックＲの下部まで確実に覆って係止できる。
リュックカバー２は襟７に収納したので、リュックカバー２を使用しない場合でも、ファスナ等の余分なものを露出させずに、美的に着用できるという効果を有する。
襟７に収納後は、止め具１６に対応する固定具１７を嵌めると、襟７に収納されたリュックカバー２は、外に飛び出すことがない。
リュックカバー２の上辺中央部３を、襟元後部４にボタン止め、ファスナ若しくは面ファスナ等で取り付ける場合は、そのボタン等を取り外せば、リュックカバー２を、腰掛のグランドシートとして使用することができる。
【図面の簡単な説明】
【図１】本発明の実施例の背面図である。
【図２】本発明の別実施例の展開図である。
【図３】襟にリュックカバーを収納した拡大図である。
【図４】本発明の使用状態を示す斜視図である。
【符号の説明】
１　　ジャケット
２　　リュックカバー
３　　上辺中央部
４　　襟元後部
５　　止め具
６　　固定具
７　　襟
８　　開口部
９　　止め具
１０　固定具
１１　脇の紐通し部
１２　裾の紐通し部
１３　紐調整具
１４　紐
１５　係止具
１６　止め具
１７　固定具
【図１】
2004052139.tif 000003
【図２】
2004052139.tif 000004
【図３】
2004052139.tif 000005
【図４】
2004052139.tif 000006